(57)【要約】【課題】ＩＳＤＮ回線に接続されるＩＧ３通信に際して、送信アナログ信号と受信アナログ信号を不要としたファクシミリ等の通信端末装置を提供する。【解決手段】送信データの生成と受信データの復元を行うとともに、送受信データとＰＣＭとの変換処理を行うモデムＤＳＰ１１と、ＩＳＤＮ回線を介して他の装置との送受信を行うＩＳＤＮ制御部１４１と、ＩＳＤＮ制御部と音声符号化データのやり取りを行うＰＣＭＩ／Ｆ１３と、モデムＤＳＰ１１にて生成した送信データと、ＰＣＭＩ／Ｆ１３を介してＩＳＤＮ制御部１４１から送られてくる受信データを加算してモニタ音声データを生成するモニタ音声データ生成部とからなることを特徴とする。【選択図】　　　　図１
2004112682.tif 000002
【特許請求の範囲】
【請求項１】
ＩＳＤＮ回線を介した他の装置との送受信を行う機能を備えた通信端末装置において、
送信データの生成と受信データの復元を行うとともに、送受信データと音声符号化データとの変換処理を行う制御部と、
前記ＩＳＤＮ回線を介して他の装置との送受信を行うＩＳＤＮ制御部と、
前記ＩＳＤＮ制御部と前記音声符号化データのやり取りを行う音声符号化データインタフェースと、
前記制御部にて生成した送信データと、前記音声符号化データインタフェースを介して前記ＩＳＤＮ制御部から送られてくる受信データを加算してモニタ音声データを生成するモニタ音声データ生成部と、
からなることを特徴とする通信端末装置。
【請求項２】
モニタ音声出力回路を備えたＰＳＴＮ信号送受信用のシリコンＤＡＡと、当該シリコンＤＡＡとのデータのやり取りを行うシリコンＤＡＡインタフェースを備えた請求項１に記載の通信端末装置であって、
前記モデムは、加算したモニタ音声データをシリコンＤＡＡインタフェースを介して前記シリコンＤＡＡに送り、当該シリコンＤＡＡの前記モニタ音声出力回路を介してモニタ音声の出力を行う、
ことを特徴とする通信端末装置。
【請求項３】
ＤＳＰ制御部にて生成した送信データはＤＴＭＦ信号であり、ＩＧ３Ｉ／Ｆを介してＩＳＤＮ制御部から送られてくる受信データはコールプログレストーンであることを特徴とする通信端末装置。
【請求項４】
前記ＩＳＤＮ制御部は、トーン信号用クロック生成部とＰＣＭＣＯＤＥＣを備え、リングバックトーンのモニタ時は、ＩＳＤＮから受信したリングバックトーンデータをＤＳＰ制御部に送り、ダイヤルトーン／ビジートーンをモニタのモニタ時は、トーン信号用クロック生成部にて生成したトーン信号用クロックをＰＣＭＣＯＤＥＣにてＰＣＭ変換したダイヤルトーン／ビジートーンデータをＤＳＰ制御部に送ることを特徴とする通信端末装置。
【発明の詳細な説明】
【０００１】
【発明の属する技術分野】
本発明は、ＩＳＤＮ回線に接続されるＩＧ３通信に際して、送信アナログ信号と受信アナログ信号を不要としたファクシミリ等の通信端末装置に関する。
【０００２】
【従来の技術】
従来、ＩＳＤＮ回線へのＧ３通信（ＩＧ３通信）では、モデムにて生成した送受信データをＧ３アナログ信号に変換したのち、ＰＣＭＣＯＤＥＣにて再びＰＣＭデータにデジタル変換を行ってＩＳＤＮとの送受信を行っていた。
図３は、従来のＩＳＤＮに接続される通信端末装置（ファクシミリ装置）を表すブロック図である。
【０００３】
図３において、モデムＤＳＰ８０１は、送信データの生成と受信データの復元を行うことができる、ＣＯＤＥＣＩ／Ｆ８０２は、モデムＣＯＤＥＣ８０３と送受信データのやり取りを行う。モデムＣＯＤＥＣ８０３は、送受信データのＡ／Ｄ変換、Ｄ／Ａ変換を行うことができる。
【０００４】
ＩＳＤＮ制御部８０４は、ＰＣＭＣＯＤＥＣ８０４１と、ＩＳＤＮ網制御部８０４２とからなる。ＰＣＭＣＯＤＥＣ８０４１は、モデムＣＯＤＥＣ８０２との間に介在したアナログスイッチ８０７とアナログ信号の送受信を行うこと、すなわちアナログスイッチ８０７との間でＡ／Ｄ変換、Ｄ／Ａ変換することができる。アナログスイッチ８０７は、アナログ信号をＰＳＴＮに接続するか、ＩＳＤＮに接続するかの切換えを行う。
【０００５】
ＩＳＤＮ網制御部８０４はＩＳＤＮ回線を介して他の装置または機器と送受信を行うとともに、ＰＣＭＣＯＤＥＣ８０４１とＰＣＭ信号のやり取りを行う。音声モニタ部８０５は、アナログ信号のモニタを行う。ＰＳＴＮ網制御部８０８は、ＰＳＴＮ回線との間で送受信を行う。なお、図３において、太線の矢印はアナログ信号を表わす。
【０００６】
図４は、従来のＩＳＤＮ制御部の構成の一例を表わすブロック図である。ＩＳＤＮ制御部９０１は、ＰＣＭＣＯＤＥＣ９０１１と、ＩＳＤＮ網制御部９０１２と、トーン信号用クロック生成部９０１３を含み、モデムＤＳＰ側では、ＩＧ３データのやり取りにアナログＩ／Ｆを用いている。このため、ダイヤルトーン、ビジートーンはトーン信号用クロック生成部９０１３にて生成したトーン信号用クロックをアナログＩ／Ｆの受信経路に入れることで、たとえば、図３の音声モニタ部８０５にてモニタすることが可能である。なお、発呼用のＤＴＭＦ信号は、モデムＤＳＰにて生成することでモニタ可能である。
【０００７】
近年では、モデムＤＳＰで直接ＰＣＭデータに変換し、デジタルのままＩＳＤＮとの送受信を行う方式が提案されている（特許文献１参照）。これは、アナログ信号へのＤ／Ａ、Ａ／Ｄ変換処理を通さない（ＰＣＭＣＯＤＥＣを用いない）ことによる高品質化をはかれるとともに、ＰＳＴＮに対してシリコンＤＡＡを使用する場合、２次側にアナログ信号が存在しないことから、シリコンＤＡＡとＩＧ３通信を共存させる場合に有効な方式である。
【０００８】
ただ、ＩＧ３データをモニタスピーカ等でモニタする場合、図３の回路では、ＩＧ３アナログ信号をそのまま音声モニタ部８０５に接続することで簡単にモニタすることができたが、上記方式ではアナログ信号が存在しないため、別途モニタ信号を生成する必要があった。なお、特許文献１に記載の技術では、ＰＣＭデータをアナログ信号に変換する回路を設けることでＩＧ３データをモニタしている。
【０００９】
【特許文献１】
特開２０００−００６６８０号
【００１０】
【発明が解決しようとする課題】
しかし、ＩＧ３のＰＣＭデータには、送信ＰＣＭデータと受信ＰＣＭデータが存在するため、従来技術では、アナログ信号に変換する回路が２個必要であり、さらに、送信アナログ信号と受信アナログ信号を加算する回路が必要であった。
【００１１】
本発明は、送信アナログ信号と受信アナログ信号を不要とした通信端末装置を提供することを目的とする。
【００１２】
【課題を解決するための手段】
本発明の通信端末装置は、ＩＳＤＮ回線を介した他の装置との送受信を行う機能を備えたもので、送信データの生成と受信データの復元を行うとともに、送受信データと音声符号化データ（ＰＣＭ：Ｐｕｌｓｅ　Ｃｏｄｅ　Ｍｏｄｕｌａｔｉｏｎ）との変換処理を行う制御部と、前記ＩＳＤＮ回線を介して他の装置との送受信を行うＩＳＤＮ制御部と、前記ＩＳＤＮ制御部と前記音声符号化データのやり取りを行う音声符号化データインタフェース（ＰＣＭＩ／Ｆ）と、前記制御部にて生成した送信データと、前記音声符号化データインタフェース（ＰＣＭＩ／Ｆ）を介して前記ＩＳＤＮ制御部から送られてくる受信データを加算してモニタ音声データを生成するモニタ音声データ生成部と、からなることを特徴とする。
【００１３】
本発明の通信端末装置は、さらに、モニタ音声出力回路を備えたＰＳＴＮ信号送受信用のシリコンＤＡＡと、当該シリコンＤＡＡとのデータのやり取りを行うシリコンＤＡＡインタフェースを備えることができ、前記モデムは、加算したモニタ音声データをシリコンＤＡＡインタフェースを介して前記シリコンＤＡＡに送り、当該シリコンＤＡＡの前記モニタ音声出力回路を介してモニタ音声の出力を行うことができる。
【００１４】
ＤＳＰ制御部にて生成した送信データがＤＴＭＦ信号であり、ＩＧ３Ｉ／Ｆを介してＩＳＤＮ制御部から送られてくる受信データがコールプログレストーン（リングバックトーン、ダイヤルトーン、ビジートーン等）である場合も本発明が適用される。
【００１５】
さらに、前記ＩＳＤＮ制御部は、トーン信号用クロック生成部とＰＣＭＣＯＤＥＣを備え、リングバックトーンのモニタ時は、ＩＳＤＮから受信したリングバックトーンデータをＤＳＰ制御部に送り、ダイヤルトーン／ビジートーンをモニタのモニタ時は、トーン信号用クロック生成部にて生成したトーン信号用クロックをＰＣＭＣＯＤＥＣにてＰＣＭ変換したダイヤルトーン／ビジートーンデータをＤＳＰ制御部に送ることができる。
【００１６】
前述したように、ＩＳＤＮでＩＧ３通信を行う場合、ユーザの利便性を図るために、発呼時に発呼用ＤＴＭＦ信号、ダイヤルトーン、ビジートーン、リングバックトーンなどをモニタする機能が必要となる。このうちリングバックトーンについてはＩＳＤＮからトーンデータが送られてくるが、それ以外の信号については、通信端末装置にて生成する必要がある。
【００１７】
本発明では、ダイヤルトーン、ビジートーンは、ＤＴＭＦ信号と同様にモデムＤＳＰにて生成することも可能であるが、ＩＳＤＮ制御部で生成することで、モデムＤＳＰの制御を、ＩＳＤＮとＰＳＴＮで共通にできる。
【００１８】
【発明の実施の形態】
以下、図面を用いて本発明の一実施例について説明する。
図１にてＩＧ３通信を行う場合、斜線塗り潰しのブロックは使用しない。ここで、モデムＤＳＰ１１にて、生成した送信データと、ＰＣＭＩ／Ｆ１３から送られてくる受信データを加算することでモニタ音声データを生成する。このモニタ音声データを使ってモニタを行う方法については任意であり、図１には図示していない加算手段を組み込むことができる。
【００１９】
次に、図１にてＩＳＤＮ制御部の動作について説明する。ここでは、モデムＤＳＰ１１にて加算したモニタ音声データを、ＳｉＤＡＡＩ／Ｆ１２を介してＳｉＤＡＡシステム側チップ１５１に送る。そして、ＳｉＤＡＡシステム側チップ１５１に内蔵されているモニタ音声出力回路からモニタ音声データを音声モニタ部１６に出力してモニタを行う。
【００２０】
ＳｉＤＡＡを使ったＰＳＴＮとのＧ３通信においては、２次側にアナログ信号が存在しないため、ＳｉＤＡＡによっては、モニタ音声出力回路を内蔵したものが存在する。本発明は、ＩＧ３通信においても、そのＳｉＤＡＡのモニタ音声出力回路を利用したものである。これにより、ＩＧ３専用のモニタ音声出力回路を別途に設けなくてもよい。
【００２１】
図２は、本発明のＩＳＤＮ制御部の構成の一例を表わすブロック図である。本発明のＩＳＤＮ制御部２１は、ＩＧ３データのやり取りにＰＣＭＩ／Ｆ２２を用いているため、ダイヤルトーン、ビジートーンはトーン信号用クロック生成部２１３にて生成したトーン信号用クロックをＰＣＭＣＯＤＥＣ２１２でＰＣＭデータに変換した後、ＰＣＭＩ／Ｆ２２の受信経路に入れることで、たとえば、図１のモデムＤＳＰ１１に送ることが可能である。ここで、モデムＤＳＰ１１で送信データと加算することで、モニタ音声データを生成することができる。
【００２２】
通信端末装置１においては、ＤＳＰモデム１１にて生成した送信データと、ＰＣＭＩ／Ｆ１３を介してＩＳＤＮ制御部から送られてくる受信データを加算して、モニタ音声データを生成するので、送信信号と受信信号を加算するアナログ回路が不要でありコスト的メリットがある。
【００２３】
加算したモニタ音声データをシリコンＤＡＡＩ／Ｆを介してシリコンＤＡＡに送り、シリコンＤＡＡのモニタ音声出力回路を介してモニタ音声の出力を行うことができる。この場合、ＩＳＤＮ信号用のモニタ音声出力回路を別途設ける必要が無いのでコストメリットがある。
【００２４】
さらに、モデムＤＳＰ１１にて生成した送信データはＤＴＭＦ信号であり、ＩＧ３Ｉ／Ｆを介してＩＳＤＮ制御部から送られてくる受信データはリングバックトーン、ダイヤルトーン、ビジートーン等のコールプログレストーンを使用するので、ＩＳＤＮ発呼時のモニタ音声信号を生成することができる。
【００２５】
端末装置においては、リングバックトーンのモニタ時は、ＩＳＤＮから受信したリングバックトーンデータをＤＳＰ制御部に送り、ダイヤルトーン／ビジートーンをモニタのモニタ時は、トーン信号用クロック生成部にて生成したトーン信号用クロックをＰＣＭＣＯＤＥＣにてＰＣＭ変換したダイヤルトーン／ビジートーンデータを、モデムＤＳＰに送るので、本発明にてＩＳＤＮ発呼時のモニタ音声信号を生成することができる。
【００２６】
【発明の効果】
送信アナログ信号と受信アナログ信号を不要とした通信端末装置を提供することができる。
【図面の簡単な説明】
【図１】本発明の一実施形態を示す回路図である。
【図２】図１のＩＳＤＮ制御部を詳しく示す図である。
【図３】従来の一実施形態を示す回路図である。
【図４】図３のＩＳＤＮ制御部を詳しく示す図である。
【符号の説明】
１１　モデムＤＳＰ
１２　ＳｉＤＡＡＩ／Ｆ
１３，２２　ＰＣＭＩ／Ｆ
１４，２１　ＩＳＤＮ制御部
１６　音声モニタ
１４１，２１１　ＩＳＤＮ網制御部
１５１　ＳｉＤＡＡシステム側チップ
１５２　ＳｉＤＡＡライン側チップ
２１２　ＰＣＭＣＯＤＥＣ
２１３　トーン信号用クロック生成部
【図１】
2004112682.tif 000003
【図２】
2004112682.tif 000004
【図３】
2004112682.tif 000005
【図４】
2004112682.tif 000006